(57)【要約】【課題】食器のセットを容易にして、使い勝手をよくする。【解決手段】横倒れ姿勢で食器３の口縁部３ａの下側と係止する係止部材１と、前記係止部材を設けた基体２とを備え、前記係止部材は、食器の口縁部を収容する収容部６と、前記収容部に食器の口縁部を位置させて複数方向から係止可能な係止部４とを備え、前記係止部材は、食器の口縁部の形状に合わせて収容部の高さが上下方向に変化するように構成したものである。【選択図】図３２
2010119421.tif 000002
【特許請求の範囲】
【請求項１】
横倒れ姿勢で食器の口縁部の下側と係止する係止部材と、前記係止部材を設けた基体とを備え、前記係止部材は、食器の口縁部を収容する収容部と、前記収容部に食器の口縁部を位置させて複数方向から係止可能な係止部とを備え、前記係止部材は、食器の口縁部の形状に合わせて収容部の高さが上下方向に変化するように構成した食器設置具。
【請求項２】
係止部材は、基体から鉛直方向に設けた支持部を有し、係止部はその中心部を前記支持部に固着した線状体を渦巻き形状に形成した請求項１記載の食器設置具。
【請求項３】
係止部材は、基体から鉛直方向に設けた支持部と、前記支持部から水平方向に設けた係止部を有し、前記係止部は、前記支持部に対してその保持位置を上下方向に調整可能に設けた請求項１または２記載の食器設置具。
【請求項４】
請求項１〜３のいずれか１項に記載の食器設置具を備えた食器洗い機。
【請求項５】
請求項１〜３のいずれか１項に記載の食器設置具を備えた食器乾燥機。
【発明の詳細な説明】
【技術分野】
【０００１】
本発明は、食器を設置する食器設置具およびこの食器設置具を設けた食器洗い機、食器乾燥機に関するものである。
【背景技術】
【０００２】
従来、食器の収納や食器の水切りを行う一般的な食器設置具は、所定の間隔を隔てて設けた複数の係止部によって食器を横倒れ姿勢で係止するものがある（例えば、特許文献１参照）。図４５は、上記特許文献１に記載された食器かごの側面図で、碗類、丼、サラダボウルなどの深さのある食器を収納することができるものである。
【０００３】
図４５に示すように、丼用保持部１０１は、丼や丼と同様な形状を呈する大型の汁碗等の丼状の食器１０２を横倒れ姿勢で保持できるように構成されている。すなわち、丼用保持部１０１は、横倒れ姿勢にした食器１０２の口縁部１０３の下側部分１０３ａを係止部１０４に係止し、かつ、その横倒れ姿勢の食器１０２が底部側へ転動しないように、所定の間隔で設けた隣接する係止部１０４で食器１０２の側周部を支持するように構成されている。そして、前記複数の係止部１０４は、間隔を隔てて一列状に並べて設けられており、横倒れ姿勢にした食器１０２を上方から見たときの口縁部１０３を同じ方向に向けてセットするように構成したものである。
【０００４】
また、図４６に示すように、碗類セットかご１０５の長手方向の両辺１０６に、上向きに伸び、かつ、上部で内側に曲がる屈曲部を持った複数個のセットピン１０７を設け、直径の大きな食器１０８をセットするときは、その口縁部１０９を係止する左右のセットピン１０７をずらして食器１０８を斜めにセットするようにすることも考えられている（例えば、特許文献２参照）。
【特許文献１】特開２００３−１５９２０６号公報
【特許文献２】特開平３−２１５２３３号公報
【発明の開示】
【発明が解決しようとする課題】
【０００５】
しかしながら、上記特許文献１に記載のものでは、係止部１０４が一列状に並べて設けられているため、食器１０２がセット可能な方向（上方から見たときの食器の口縁部の向き）は、係止部１０４が並んでいる限定された一方向にしか食器をセットすることができないものである。
【０００６】
また、上記特許文献２に記載のものでは、直径の大きさが異なる複数種類の食器のセットが可能であるが、上記特許文献１に記載のものと同様に、セットピン１０７が並んでいる方向に食器の方向が限定される。
【０００７】
一般的に、食器をセットするときは、食器のセットに用いる手が、右手か左手かといった使用者の利き手によって食器セットの容易性が異なる。また、使用者が食器設置具の右側もしくは左側に立っているかといった食器設置具と使用者との位置関係によっても食器セットの容易性が異なる。そのため、手に持った食器がセット方向と異なる場合は、食器の向きを変えるために腕を捩じったり、食器を他方の手に持ち替えるという動作が生じて使い勝手が悪く、使用者の利き腕や食器設置具に対する位置によって、最もセットがし易い向きに食器をセットすることができないという問題があった。
【０００８】
本発明は、上記従来の課題を解決するもので、食器のセットを容易にして、使い勝手を
よくすることを目的としている。
【課題を解決するための手段】
【０００９】
前記従来の課題を解決するために、本発明の食器設置具は、横倒れ姿勢で食器の口縁部の下側と係止する係止部材と、前記係止部材を設けた基体とを備え、前記係止部材は、食器の口縁部を収容する収容部と、前記収容部に食器の口縁部を位置させて複数方向から係止可能な係止部とを備え、前記係止部材は、食器の口縁部の形状に合わせて収容部の高さが上下方向に変化するように構成したものである。
【００１０】
これにより、最もセットがし易い向きに食器をセットすることができるようになり、使い勝手をよくすることができる。また、係止部材がセットする様々な食器の厚さ、形状に応じて収容部の高さ、奥行きなどが変化するので、簡単に食器を設置することができる。
【発明の効果】
【００１１】
本発明の食器設置具は、食器が容易にセットでき、使い勝手をよくすることができる。
【発明を実施するための最良の形態】
【００１２】
第１の発明は、横倒れ姿勢で食器の口縁部の下側と係止する係止部材と、前記係止部材を設けた基体とを備え、前記係止部材は、食器の口縁部を収容する収容部と、前記収容部に食器の口縁部を位置させて複数方向から係止可能な係止部とを備え、前記係止部材は、食器の口縁部の形状に合わせて収容部の高さが上下方向に変化するように構成したことにより、最もセットがし易い向きに食器をセットすることができるようになり、使い勝手をよくすることができるとともに、係止部材がセットする様々な食器の厚さ、形状に応じて収容部の高さ、奥行きなどが変化するので、食器の設置を簡略にすることができる。
【００１３】
第２の発明は、特に、第１の発明の係止部材は、基体から鉛直方向に設けた支持部を有し、係止部はその中心部を前記支持部に固着した線状体を渦巻き形状に形成したことにより、セットする食器の厚さや形状に合わせて、係止部が鉛直方向や水平方向に変位し、収容部の形状が変化して簡単に食器を設置することができる。
【００１４】
第３の発明は、特に、第１または第２の発明の係止部材は、基体から鉛直方向に設けた支持部と、前記支持部から水平方向に設けた係止部を有し、前記係止部は、前記支持部に対してその保持位置を上下方向に調整可能に設けたことにより、厚さの異なる食器に対してセット可能な範囲が拡大でき、食器の厚さに対応して設置することができる。
【００１５】
第４の発明は、特に、第１〜第３のいずれか１つの発明の食器設置具を備えた食器洗い機であり、食器の形状等により予め設定されているセット場所に拘束されることがなく、任意の場所と方向へ食器をセットすることができる。また、係止部材がセットする様々な食器の厚さ、形状に応じて収容部の高さ、奥行きなどが変化するので、食器の設置を簡略にすることができ、使い勝手をよくすることができる。また、係止部を渦巻き形状に形成すれば、その可撓性によって、食器の厚さや形状に合わせて、渦巻き形状が鉛直方向や水平方向に自在に変化することで食器の収容部の形状が変化し、より簡単に食器を設置することができる。同時に、渦巻き形状の隙間を通して、食器に直接、洗浄水を噴射することができるので、洗浄効果が向上する。さらに、渦巻き形状とした係止部の隙間を通して洗浄水が流動し、食器から流れ落ちた汚れの堆積を防止することができるとともに、大きな水滴が残存することなく、洗浄後の乾燥が容易である。
【００１６】
第５の発明は、特に、第１〜第３のいずれか１つの発明の食器設置具を備えた食器乾燥機であり、食器の形状等により予め設定されているセット場所に拘束されることがなく、任意の場所と方向へ食器をセットすることができる。また、係止部材がセットする様々な
食器の厚さ、形状に応じて収容部の高さ、奥行きなどが変化するので、食器の設置を簡略にすることができ、使い勝手をよくすることができる。また、係止部を渦巻き形状に形成すれば、その可撓性によって、食器の厚さや形状に合わせて、渦巻き形状が鉛直方向や水平方向に自在に変化することで食器の収容部の形状が変化し、より簡単に食器を設置することができる。同時に、渦巻き形状の隙間を通して、食器に直接、乾燥用空気を送風することができるので、乾燥効果が向上する。さらに、渦巻き形状とした係止部の隙間を通して乾燥用空気が流動し、食器から流れ落ちた水滴の係止部への残存が少なくでき、洗浄後の乾燥が容易である。
【００１７】
以下、本発明の実施の形態について、図面を参照しながら説明する。なお、本実施の形態によって本発明が限定されるものではない。
【００１８】
（実施の形態１）
図１は本発明の実施の形態１の食器設置具に食器をセットした状態の斜視図、図２はその断面図、図３は食器を３方向からセットした状態の各々の平面図である。
【００１９】
図１〜図３において、係止部材１は合成樹脂の成型品等からなり、平板状の基体２に取り付けられている。係止部材１は、例えば、碗類等の食器３の口縁部３ａを複数方向から係止することが可能な係止部４を有し、水平方向へ放射状に３箇所設けている。係止部材１は、多角柱形状の支持部５で基体２の上に固定されており、基体２と係止部４との間に収容部６を形成している。この収容部６に横倒れ姿勢で食器３の口縁部３ａの下部を位置させて係止部４の下面側に係止する。
【００２０】
横倒れ姿勢で係止部４の下面側に係止させた食器３は、基体２の上面でその側周部３ｂが支持され、係止部４と基体２とで横倒れ姿勢の状態に保持される。食器３は、糸底３ｃ側に重心が位置するように傾けて置かれ、食器３の重みが口縁部３ａを介して係止部４の下面側から上方へ作用するようにして、安定した保持が得られるようにしている。
【００２１】
以上のように構成された食器設置具について、以下その動作を説明する。食器設置具に食器３をセットするときは、係止部材１の上方から食器３を基体２の近傍まで近づけ、収容部６に食器３の口縁部３ａを収容する。その後、収容部６を中心に食器３の側周部３ｂが基体２の上面に接するまで食器３の角度θを変え、糸底３ｃ側へ傾けて口縁部３ａを係止部４の下面側と接触させて係止し、食器３を安定して保持させる。なお、「角度」とは、食器３を側面からみたときの傾きのことである。
【００２２】
図３のように、水平方向へ３方向に設けた各々の係止部４に対して食器３の口縁部３ａを係止することができ、複数方向から食器３をセットすることができる。
【００２３】
なお、本実施の形態では、１点の食器３を１箇所の係止部４に係止させているが、図３（ｂ）の鎖線で示すように１点の食器３を、同一の係止部材１に設けられた二つの係止部４に係止させるようにしてもよい。この場合は、２箇所の係止部４によって、食器３をより安定して係止することができる。
【００２４】
なお、本実施の形態では、係止部材１に３箇所の係止部４を設けたものであるが、この限りではなく、複数個の係止部４を備えていればよい。
【００２５】
図４は、本実施の形態の他の例を示したもので、係止部４の下面側の先端部に突起７を下方へ突出するように設けたものであり、食器３をより安定して保持することができる。また、係止部４の近傍の基体２の上面に、下方へ円弧状に窪ませた凹部２ａを設けてあり、係止部４の先端部の直下が深く、係止部材１を囲むように設けたその外周縁２ｂは、係
止部４の先端部より外方に位置させて浅くなるように傾斜させている。
【００２６】
これにより、食器３の口縁部３ａを円弧状の凹部２ａに沿って係止部４の下面側に滑り込ませることができるので、食器３のセットが容易になる。なお、この凹部２ａは、係止部４の下方に対向させて放射状に形成してもよい。
【００２７】
図５は、本実施の形態の他の例を示したもので、基体２をステンレスなどの金属材料からなる線材によって三角格子状に設けたものであり、開口部２ｃが形成されるようにしたものである。基体２を三角格子状に設けることにより、食器３は係止部４の下部から放射状に延びる２辺２ｄで側周部３ｂが支持され、食器３を安定して保持することができる。そして、基体２に開口部２ｃが形成されていると、食器洗い機や食器乾燥機の食器設置具として用いた場合、洗浄水や温風が開口部２ｃをスムーズに通過し、洗浄性能や乾燥性能が向上する。
【００２８】
なお、基体２は、金属材料の線材により網目状や格子状に設けて開口部２ｃを形成するほか、係止部材１を一体に成形した合成樹脂製の基体に、所定の大きさと間隔で開口部を形成しても良い。
【００２９】
なお、係止部材１は、それ自体またはその表面をゴムなどの摩擦係数の大きい材料や、ワイヤー、ステンレスなどの金属部材で構成することができる。摩擦係数の大きい材料で構成した場合は、食器３を係止部４に係止したときに滑りにくく、係止部４からの不用意な離脱を防止することができる。
【００３０】
なお、収容部６は、基体２と係止部４との間に設けているが、セットする食器の形状によっては、係止部４への係止位置が変化するため、収容部６は、必ずしも係止部４と基体２との間に設ける必要はなく、係止部４の下面側に食器３の口縁部３ａが係止可能に収容される収容部６が設けられていればよい。
【００３１】
また、係止部材１に支持部６を設けているが、収容部６を形成するための一実施例であり、係止部４の下面側に食器３の口縁部３ａが係止されるように、口縁部３ａが収容可能であれば必ずしも必要ではない。
【００３２】
（実施の形態２）
図６は本発明の実施の形態２の食器設置具に食器をセットした状態の斜視図、図７はその断面図、図８は食器３を６方向からセットした状態の各々の平面図である。本実施の形態において、実施の形態１と同様の部分については同一符号を附し、その詳細な説明は実施の形態１のものを援用する。
【００３３】
図６〜図８において、係止部材１は平面円形状に形成されており、係止部材１の上部は円柱、下部は上方より下方の径が小さい平面円形状をしている。基体２は直線状のワイヤーで構成されており、ワイヤーはピッチ（角度）Ａが６０度で設けられワイヤーの交差する箇所に係止部材１が固定されている。
【００３４】
本実施の形態によれば、係止部材１を平面円形状に設けているため、係止部４はその全周に形成される。したがって、食器３は係止部４に対して口縁部３ａを複数方向から係止可能であり、任意の方向から食器３をセットできる。図８に示すように、係止部材１から放射状に延びるワイヤー２の角度Ａを６０度に設定しているため、（ａ）〜（ｆ）のように食器を６方向からセットすることができる。係止部４に対して口縁部３ａを任意の方向に係止すると、放射状に延びる２辺２ｄで側周部３ｂが支持され、食器３を安定して保持することができる。
【００３５】
なお、角度Ａは６０度のほか複数方向へセットできるものであれば、他の角度に設定可能である。また、図８では１つの係止部材１に対して１つの食器３を係止させているが、１つの係止部材１に対して複数の食器３を係止させても良い。
【００３６】
また、本実施の形態では、係止部材１の上面を平面状に形成しているが、中央部が盛り上がった形状でもよい。この場合は、食器洗い機や水切りかごなどに用いた場合、水や汚れが係止部材１の上面に留まるのを防止することができる。
【００３７】
（実施の形態３）
図９は本発明の実施の形態３の食器設置具に食器をセットした状態の斜視図、図１０はその断面図、図１１は食器３を８方向からセットした状態の各々の平面図である。本実施の形態において、実施の形態１および２と同様の部分については同一符号を附し、その詳細な説明は実施の形態１および２のものを援用する。
【００３８】
図９〜図１１において、係止部材１の上部は直方体に形成され、下部は上方より下方の径が小さい平面円形状をしている。基体２の上面には係止部材１の周囲に球面状の凹部２ａを形成している。凹部２ａは、下方へ円弧状に窪ませてあり、その外周縁２ｂが係止部４の先端部より外方に位置させて浅くなるように傾斜させている。
【００３９】
以上のように構成された食器設置具について、以下その動作を説明する。食器設置具に食器３をセットするときは、係止部材１の上方から係止部材１の直方体部分の角、もしくは、辺の近傍を狙って食器３を基体２の近傍まで近づけ、収容部６に食器３の口縁部３ａを収容する。その後、食器３の側周部３ｂが基体２の上面に接触するように糸底３ｃ側へ傾けて食器３を安定して保持させる。
【００４０】
本実施の形態によれば、係止部材１に対して複数方向に食器をセットできるとともに、図１１のように食器３は係止部材１の角、もしくは、辺を狙ってセットできるため、（ａ）〜（ｈ）のように食器を８方向からセットすることができ、食器３のセットを容易にすることができる。
【００４１】
なお、係止部材１は、上部を直方体としているが、三角柱や六角柱といった多角柱でもよい。
【００４２】
（実施の形態４）
図１２は本発明の実施の形態４の食器設置具に食器をセットした状態の斜視図、図１３はその断面図である。本実施の形態において、実施の形態１〜３と同様の部分については同一符号を附し、その詳細な説明は実施の形態１〜３のものを援用する。
【００４３】
図１２および図１３において、係止部材１は、上面および下面が略球面状に形成されており、下面で食器を係止する。係止部材１の下面が基体２と接続されている。なお、球面状とは表面が滑らかな球面だけではなく、表面に小さな突起や窪みを有したものも含まれる。
【００４４】
本実施の形態によれば、使用者が食器３をセットするときに、誤って係止部材１の上部に食器３の口縁部３ａの下端を接触させても、球面状の表面に沿って食器３がその周縁方向へ滑るため、食器３に加わる衝撃を緩和することができ、破損する可能性を低減させることができる。また、食器３が係止部材１の周縁方向へ滑るため、食器３を係止部材１の係止位置へ導くことができる。
【００４５】
また、係止部材１の下面を球面状にしたことにより、食器３に係止部４との接触による傷がつきにくく、係止部４の下方に形成される収容部６の周縁側の空間が大きくでき、食器３のセットおよび取り出しを容易にすることができる。
【００４６】
なお、図１４（ａ）は、係止部材１の他の例を示したもので、球体状にしたものである。食器３をセットするときに食器３が係止部材１に接触しても、球面に沿って食器３の口縁部３ａを収容部６へと導き、収容部６への収容を容易にすることができる。
【００４７】
また、図１４（ｂ）は、係止部材１を球体としたものの他の例を示したもので、球体の表面に縦方向に複数の凹部１ａを設けたものである。この場合は、食器３と係止部材１との間の空間が大きくなり、食器洗い機や食器乾燥機に本食器設置具を用いた場合に、洗浄水が落下しやすくなるとともに、噴射された洗浄水や、乾燥用空気が係止部材１の凹部１ａを通り、効率よく食器に接触させることができる。
【００４８】
（実施の形態５）
図１５は本発明の実施の形態５の食器設置具の斜視図、図１６は食器設置具に形状の異なる複数の食器をセットした状態の平面図、図１７〜図２４はそれぞれの食器を個別にセットした状態の斜視図とその断面図、図２５は食器３を１２方向からセットした状態の各々の平面図である。本実施の形態において、実施の形態１〜４と同様の部分については同一符号を附し、その詳細な説明は実施の形態１〜４のものを援用する。
【００４９】
図１５および図１６において、合成樹脂製の角材からなる基体２は所定の間隔で複数本設けられ、それぞれの基体２を角材と垂直方向に設けられた角材からなる基体連結部２ｅで基体２を略平行に連結している。それぞれの基体２には、所定の間隔で複数個の球体から構成される係止部材１、および、その下部に基体２と接続するように設けられた円柱状の支持部５が設けられている。係止部材１および支持部５は基体２に所定の間隔で設けてあり、図１６のように平面視で正三角格子状に設けられていることが好ましい。
【００５０】
次に、図１７〜図２４を用いて大きさおよび形状の異なる食器３について、それぞれ個別に説明する。子供用の茶碗や小鉢といったサイズが小さく深い食器３Ａをセットする際は、図１７および図１８に示すように、係止部材１の上方から係止部材１の近傍を狙って食器３Ａを基体２の近傍まで近づけ、収容部６に食器３Ａの口縁部３ａの下部を収容して１つの係止部４に係止し、食器３Ａの糸底３ｃを隣接した係止部材１で支持させる。食器３Ａの大きさや形状によっては側周部３ｂを支持することもある。この場合は、食器３Ａの口縁部３ａを１つの係止部材１の係止部４に係止し、糸底３ｃまたは側周部３ｂを１つの係止部材１で支持するものである。
【００５１】
また、茶碗や汁碗、丼といった食器３Ｂをセットする際は、図１９および図２０に示すように、係止部材１の上方から係止部材１の近傍を狙って食器３Ｂを基体２の近傍まで近づけ、食器３Ｂの口縁部３ａを１つの係止部材１に係止し、食器３Ｂの口縁部３ａを係止した係止部材１と隣接する２個の係止部材１で食器３Ｂの側周部３ｂを支持する。この場合は、食器３Ｂの口縁部３ａを１つの係止部材１の係止部４に係止し、側周部３ｂを２つの係止部材１で支持するものである。
【００５２】
また、丸皿のような食器の口縁部が比較的薄い食器３Ｃをセットする場合は、図２１および図２２に示すように、係止部材１の上方から２つの係止部材１の間へ食器（丸皿）３Ｃを基体２の近傍まで近づけ、食器（丸皿）３Ｃの口縁部３ａを２つの係止部材１に係止し、（丸皿）３Ｃの口縁部３ａを係止した係止部材１と隣接する１つの係止部材１で食器（丸皿）３Ｃの裏面を支持するものである。
【００５３】
また、角皿のような食器の口縁部が比較的薄く、平らな口縁部３ａを備えた食器３Ｄをセットする場合は、図２３および図２４に示すように、係止部材１の上方から係止部材１の間へ食器（角皿）３Ｄを基体２の近傍まで近づけ、食器（角皿）３Ｄの口縁部３ａを複数の係止部材１に係止し、食器（角皿）３Ｄの口縁部３ａを係止した係止部材１と隣接する複数の係止部材１で食器（角皿）３Ｄの裏面を支持するものである。
【００５４】
本実施の形態によれば、種類、大きさおよび形状の様々な食器に最適な状態に安定してセットできるとともに、手に持っている食器の置きやすい任意の方向に向けて容易にセットすることができる。
【００５５】
また、図２５は係止部材１の配列の角度Ｂを６０度に設定し正三角格子状に配置したものである。この構成によれば、３つの係止部材１により食器３を３点保持できる箇所を最も多く設けることができる。例えば、１つの係止部材１で食器３の口縁部３ａを係止し、隣接する２つの係止部材１で食器３を支持すると、（ａ）〜（ｌ）の１２通りの安定した食器の保持が可能である。そのため、食器セット時の自由度が向上し、使用者の利き手や、立ち位置などによらず、使用者が最もセットしやすい方向に食器をセットすることができる。
【００５６】
なお、本実施の形態では、角材の基体を並列させて配置させているが、基体２を実施の形態１のように正三角格子状に配置しても良い。この場合は、実施の形態１と同様に、格子の両辺に食器が保持されるため、より安定して食器を保持することができる。
【００５７】
また、図２５では、係止部材１を正三角格子状に配置しているが、正方形の格子状に配置しても良い。この場合は、食器３を８方向にセットすることができる。
【００５８】
（実施の形態６）
図２６は本発明の実施の形態６の食器設置具の斜視図、図２７は食器設置具に形状の異なる複数の食器をセットした状態の斜視図である。本実施の形態において、実施の形態１〜５と同様の部分については同一符号を附し、その詳細な説明は実施の形態１〜５のものを援用する。
【００５９】
図２６および図２７において、合成樹脂製の角材からなる基体２は所定の間隔で複数本設けられ、それぞれの基体２を角材と垂直方向に設けられた角材からなる基体連結部２ｅで基体２を略平行に連結している。球体から構成される係止部材１および円柱から構成される支持部５は、所定の間隔Ｃ１で基体２に複数個設けられている。そして、基体２は所定の間隔Ｃ２で複数個設け、第１のエリアＣを構成している。
【００６０】
第２のエリアＤは、球体から構成される係止部材１および円柱から構成される支持部５を、第１のエリアＣの係止部材１の間隔Ｃ１より狭い、所定の間隔Ｄ１で基体２に複数個設け、基体２を所定の間隔Ｄ２に設定し複数個設けている。
【００６１】
基体２の間隔は、第１のエリアよりも第２のエリアの方が基体２の間隔が狭くなるように、Ｃ２＞Ｄ２に設定している。そして、間隔Ｃ１とＣ２との関係、および間隔Ｄ１とＤ２との関係は、係止部材１が正三角格子状に配置されるように設定されている。
【００６２】
以上のように構成された食器設置具について、以下その動作を説明する。図２７に示すように、碗類など深さのある食器をセットする際は、食器３Ｂを第１のエリアＣに設けられてある係止部材１に係止させ、皿類など浅い食器３Ｃをセットする際は、第２のエリアＤに設けられてある係止部材１に係止させる。
【００６３】
本実施の形態によれば、様々な方向にセット保持することができるとともに、食器３の種類に応じて最適なエリアを選択し、食器３を安定してセットすることができる。
【００６４】
なお、係止部材１をエリアに応じて形状や色を変化させてもよい。例えば、第２のエリアＤの係止部材１の高さを、第１のエリアＣの係止部材１より高くすることによって、皿類をさらに安定して保持することができる。また、エリアによって色分けすることにより、食器のセット場所を視覚的に判別することができ、食器のセットを容易にすることができる。また、エリアに応じて基体２の形状や色を変えても良い。
【００６５】
（実施の形態７）
図２８は本発明の実施の形態７の食器洗い機の構成図である。本実施の形態において、実施の形態１〜６と同様の部分については同一符号を附し、その詳細な説明は実施の形態１〜６のものを援用する。
【００６６】
図２８において、食器洗い機は、前面が開口する箱状の本体２０に電源２１が接続されている。本体２０には、略水平方向に引き出し可能な洗浄槽２２と、水道２３から洗浄槽２２に洗浄水を供給する給水経路２４と、洗浄槽２２から本体２０の外に洗浄水を排水する排水経路２５を備えており、給水経路２４と排水経路２５にはそれぞれ電磁弁からなる給水弁２６、排水弁２７を備えている。
【００６７】
洗浄水は給水口２８から洗浄槽２２内に供給され、洗浄槽２２の下部に設けられた排水口２９から排水を行う。給水弁２６および排水弁２７は制御手段３０によって自動制御される。洗浄槽２２の中には、食器３をセットする食器設置具３１が着脱自在に設けられている。洗浄槽２２は、上面に設けた開口を本体２０内に設けた内蓋（図示せず）で開閉自在にしてあり、本体２０から引き出すときに開放される。
【００６８】
食器設置具３１は、図２９に示すように、所定の間隔で設けられたワイヤーからなる基体２と、基体２を連結する基体連結部２ｅと、基体２の上部に設けられた係止部材１とを備え、食器３を横倒れ姿勢で係止する。なお、食器設置具３１は、本発明の実施の形態１〜６、８および９に記載のいずれを用いてもよい。
【００６９】
洗浄手段は、本実施の形態では洗浄ノズル３２と、洗浄ノズル３２に洗浄水を供給する循環ポンプ３３と、洗浄槽２２から循環ポンプ３３を経由して洗浄ノズル３２に洗浄水を供給する循環経路３４とで構成しており、洗浄ノズル３２から噴射された洗浄水が食器３に衝突し汚れを洗浄する。なお、洗浄手段は、洗浄ノズル３２から洗浄水を噴射する構成に限定されるものではない。
【００７０】
以上のように構成された、食器洗い機について動作を説明する。使用時は、本体２０から洗浄槽２２を水平方向に引き出し、その後、食器３を食器設置具３１にセットする。全ての食器３のセットが終了すると、洗浄槽２２を本体２０に収容し洗浄を開始する。一般的には、洗浄工程、すすぎ工程、乾燥機能を有する場合は続けて乾燥工程を行う。洗浄終了後に、再び洗浄槽２２を本体２０から引き出して食器３を取り出し、食器３を全て取り出した後、洗浄槽２２を本体２０内に戻す。
【００７１】
以上のように、本発明の食器設置具３１を食器洗い機に用いることにより、設定されたセット場所に拘束されることなく、食器３を任意の場所と方向へ自由にセットすることができるとともに、安定して保持することができる。
【００７２】
（実施の形態８）
図３０は本発明の実施の形態８の食器設置具の係止部材の斜視図、図３１は同食器設置
具の斜視図、図３２は同食器設置具に食器（茶碗）をセットした状態の斜視図、図３３は同下方から見た斜視図、図３４は食器（中鉢）をセットした状態の斜視図、図３５は同平面図、同３６は同下方から見た斜視図、図３７〜図３９は食器をセットした状態の要部断面図である。本実施の形態において、実施の形態１〜７と同様の部分については同一符号を附し、その詳細な説明は実施の形態１〜７のものを援用する。
【００７３】
図３０〜同３９において、食器設置具は横倒れ姿勢で食器３の口縁部３ａの下側と係止する係止部材１と、係止部材１を設けた基体２とを備え、係止部材１は、食器３の口縁部３ａを収容する収容部６と、収容部６に食器３の口縁部３ａを位置させて複数方向から係止可能な係止部４とを備え、係止部材１は、食器３の口縁部３ａの形状に合わせて収容部６の形状が高さ方向に変化するものである。
【００７４】
これにより、最もセットがし易い向きに食器３をセットすることができるようになり、使い勝手をよくすることができる。また、係止部４が上下方向に変位することにより、様々な食器３の厚さ、形状に合わせた最適な収容部６の形状、すなわち、収容部６の高さ、奥行きなどが変化するので、簡単に食器を設置できる。
【００７５】
特に、係止部４は、図３０〜図３９に示すように弾性材料のワイヤーで渦巻き形状に形成し、その中心部を支持部５に固着したことにより、渦巻きばねのような可撓性が得られ、設置する食器３の厚さや形状に合わせて、渦巻き形状が鉛直方向や水平方向に自在に変化するものである。したがって、食器３の口縁部３ａを収容部６へ挿入することにより形状が自在に変化するので、より簡単に食器を設置できる。
【００７６】
図３７は、口縁部３ａの厚さが薄い食器３Ｅをセットした状態、図３８は、口縁部３ａの厚さが厚い食器３Ｆをセットした状態で、係止部４の外周部分が厚さに応じて上方へ変位し収容部６に挿入される。図３９は、深さが浅い食器３Ｇをセットした状態で、係止部４の外周部分が形状に応じて上方へ変位し収容部６に挿入される。
【００７７】
そして、係止部４は食器３のセットによって上下方向に変位すると、形成された形状に戻ろうとする弾性力が食器３に作用し、設置時のガタツキをなくして強固に保持することができる。したがって、この食器設置具を食器洗い機の食器かごとして実施した場合、設置した食器に洗浄水が勢いよく噴射されても、揺動による食器同士の接触および衝突を防止することができ、食器の損傷および食器同士の接触音、食器と係止部４との接触音の発生を少なくすることができる。
【００７８】
また、図３４に示すように、係止部材１は鉛直方向の支持部５（例えば円柱形状）と、水平方向の係止部４（例えば渦巻き形状）とを有しており、食器３の形状によって、図３３のように食器３（茶碗）の外側の側周部３ｂを係止部４で支持したり、図３６のように食器３（中鉢）の外側の側周部３ｂを支持部５で支持することができる。
【００７９】
また、係止部材１の係止部４の位置が鉛直方向に変化するように高さ調整手段（図示せず）を設けると、係止部４を上下方向に移動可能にすることができ、より厚肉の食器や、より薄肉の食器を簡単に設置することができるようになる。なお、高さ調整手段は、支持部５と係止部４をねじ嵌合とし、ねじ部を回転させて上下移動させるなど、容易に技術手段が構成できる。なお、その構成はねじに限定されるものではない。
【００８０】
なお、このような食器設置具を備えた食器洗い機では、食器の形状等により予め設定されているセット場所に拘束されることがなく、任意の場所と方向へ食器をセットすることができるので、各家庭ごとに、食事メニューごとに異なる食器の組合せにおいても、簡単にセットできる。
【００８１】
また、係止部材１は食器３の口縁部３ａの形状に合わせて収容部６の形状が変化するものである。すなわち、様々な食器３の厚さ、形状に合わせた適切な収容部６の形状を得るように、収容部６の高さ、奥行きなどが変化するので、簡単に食器を設置できる。さらに、係止部材１を渦巻き形状に形成すれば、その可撓性によって、食器の厚さや形状に合わせて、渦巻き形状が鉛直方向や水平方向に自在に変化することで食器３の収容部６の形状が変化し、より簡単に食器を設置できる。
【００８２】
同時に、係止部材１の渦巻き形状の隙間を通して、食器３に直接、洗浄水を噴射することができ、また、洗浄後の乾燥時に乾燥用空気を吹き付けることができるので、洗浄性能や乾燥性能が向上する。
【００８３】
また、係止部材１の係止部４を水平方向の渦巻き形状に形成することにより、その隙間を通して鉛直方向に自然に係止部４から食器３の口縁部３ａに水が流れ、汚れが食器３に堆積しない。そして、食器３の内面と係止部４の接触部などに大きな水滴が残存することがなく、水が蒸発しやすいなど、洗浄性能や乾燥性能が向上する。さらに、係止部４の下方に食器３を支持する基体２を配置すれば、食器３と基体２の接触部にも水を確実に供給し、乾燥用空気が通過するので、洗浄性能や乾燥性能が安定する。
【００８４】
（実施の形態９）
図４０は本発明の実施の形態９の食器設置具の斜視図、図４１は同食器設置具に食器（中鉢）をセットした状態の斜視図、図４２は同食器設置具に食器（ラーメン鉢）をセットした状態の斜視図、図４３は同背面図、図４４は図４２のＡ−Ａ断面斜視図である。本実施の形態において、実施の形態１〜８と同様の部分については同一符号を附し、その詳細な説明は実施の形態１〜８のものを援用する。
【００８５】
図４０〜図４４において、実施の形態８と同様の食器設置具であるが、複数の棒状体を格子状に直交するように配置して基体２を構成し、食器３を縦横、前後左右いずれにも設置できるようにしている。係止部材１の設置間隔では入りきらないような、大きな直径の食器も、横方向に設置した場合に、渦巻き形状の係止部４が、食器３（ラーメン鉢）の外側の側周部３ｂに当接して下方に変形したり、内側に当接して上方に変形したりして、セットすることができるようになり、使い勝手をよくすることができる。
【００８６】
なお、図４１に示すように食器３を横方向にセットすると、食器３の端部である口縁部３ａが基体２の中間部２ｆと密着し、この部分で洗浄性能や乾燥性能の低下を生ずる恐れがあるが、図４４に示すように基体２の断面形状を変化させることにより、基体２と食器３の口縁部３ａとの間に適切な空隙Ｓを確保することができる。ここでは、交差する基体２の中間部２ｆの断面形状を部分的に薄くすること、すなわち基体２の交差部分いいかえると食器３の設置部近傍と、基体２が食器３の口縁部３ａの下端に対向する部分とで肉厚を変え、中間部２ｆの肉厚を薄くして空隙Ｓを形成する。このことで食器３のセット性と洗浄性能を両立させることができる。
【００８７】
なお、本発明の食器設置具を食器乾燥機に用いる場合は、食器等の被乾燥物を入れる乾燥室（図示せず）と、この乾燥室に乾燥用空気を送風するファン等の送風手段（図示せず）と、乾燥用空気を除湿および／または加熱する手段（図示せず）を設け、乾燥させる食器を食器設置具３１にセットし、乾燥室内で乾燥させる。
【００８８】
以上のように、本発明の食器設置具３１を食器乾燥機に用いることにより、設定されたセット場所に拘束されることなく、食器３を任意の場所と方向へ自由にセットすることができるとともに、安定して保持することができる。また、碗類の糸底の水切りができ、効
率よく乾燥させることができる。
【００８９】
なお、係止部材１と基体２とは一体でも別体でもよく、食器設置具の一部または全体に着脱自在に形成してもよいものである。
【００９０】
なお、本発明の食器設置具は、実施の形態に限定されるものではなく、目的、用途等にあわせて基体２と係止部材１を適宜組み合わせて実施することができる。
【産業上の利用可能性】
【００９１】
本発明の食器設置具は、食器が容易にセットでき、使い勝手をよくすることができるので、食器設置具として有用である。
【図面の簡単な説明】
【００９２】
【図１】本発明の実施の形態１の食器設置具に食器をセットした状態の斜視図
【図２】同食器設置具に食器をセットした状態の断面図
【図３】（ａ）〜（ｃ）同食器設置具に食器をセットした状態の平面図
【図４】同食器設置具に食器をセットした状態の他の例の断面図
【図５】同食器設置具に食器をセットした状態の他の例の平面図
【図６】本発明の実施の形態２の食器設置具に食器をセットした状態の斜視図
【図７】同食器設置具に食器をセットした状態の断面図
【図８】（ａ）〜（ｆ）同食器設置具に食器をセットした状態の平面図
【図９】本発明の実施の形態３の食器設置具に食器をセットした状態の斜視図
【図１０】同食器設置具に食器をセットした状態の断面図
【図１１】（ａ）〜（ｈ）同食器設置具に食器をセットした状態の平面図
【図１２】本発明の実施の形態４の食器設置具に食器をセットした状態の斜視図
【図１３】同食器設置具の断面図
【図１４】（ａ）（ｂ）同食器設置具の食器セット時の他の例の斜視図
【図１５】本発明の実施の形態５の食器設置具の斜視図
【図１６】同食器設置具に食器をセットした状態の平面図
【図１７】同食器設置具に食器をセットした状態の一例の斜視図
【図１８】同食器設置具に食器をセットした状態の一例の断面図
【図１９】同食器設置具に食器をセットした状態の他の一例の斜視図
【図２０】同食器設置具に食器をセットした状態の他の一例の断面図
【図２１】同食器設置具に食器をセットした状態の他の一例の斜視図
【図２２】同食器設置具に食器をセットした状態の他の一例の断面図
【図２３】同食器設置具に食器をセットした状態の他の一例の斜視図
【図２４】同食器設置具に食器をセットした状態の他の一例の断面図
【図２５】（ａ）〜（ｌ）同食器設置具に食器をセットした状態の平面図
【図２６】本発明の実施の形態６の食器設置具の斜視図
【図２７】同食器設置具に食器をセットした状態の斜視図
【図２８】本発明の実施の形態７における食器洗い機の構成図
【図２９】同食器洗い機の食器設置具の斜視図
【図３０】本発明の実施の形態８の食器設置具の係止部材の斜視図
【図３１】同食器設置具の斜視図
【図３２】同食器設置具に食器（茶碗）をセットした状態の斜視図
【図３３】同食器設置具に食器（茶碗）をセットした状態の下方からの斜視図
【図３４】同食器設置具に食器（中鉢）をセットした状態の斜視図
【図３５】同食器設置具に食器（中鉢）をセットした状態の平面図
【図３６】同食器設置具に食器（中鉢）をセットした状態の下方からの斜視図
【図３７】同食器設置具に食器をセットした状態の要部断面図
【図３８】同食器設置具に食器をセットした状態の他の例の要部断面図
【図３９】同食器設置具に食器をセットした状態の他の例の要部断面図
【図４０】本発明の実施の形態９の食器設置具の斜視図
【図４１】同食器設置具に食器（中鉢）をセットした状態の斜視図
【図４２】同食器設置具に食器（ラーメン鉢）をセットした状態の斜視図
【図４３】同食器設置具に食器（ラーメン鉢）をセットした状態の背面図
【図４４】同食器設置具に食器（ラーメン鉢）をセットした状態のＡ−Ａ断面斜視図
【図４５】従来の食器かごの側面図
【図４６】従来の他の食器かごの平面図
【符号の説明】
【００９３】
１  係止部材
２  基体
３  食器
３ａ  口縁部
３ｂ  側周部
４  係止部
６  収容部
【図１】
2010119421.tif 000003
【図２】
2010119421.tif 000004
【図３】
2010119421.tif 000005
【図４】
2010119421.tif 000006
【図５】
2010119421.tif 000007
【図６】
2010119421.tif 000008
【図７】
2010119421.tif 000009
【図８】
2010119421.tif 000010
【図９】
2010119421.tif 000011
【図１０】
2010119421.tif 000012
【図１１】
2010119421.tif 000013
【図１２】
2010119421.tif 000014
【図１３】
2010119421.tif 000015
【図１４】
2010119421.tif 000016
【図１５】
2010119421.tif 000017
【図１６】
2010119421.tif 000018
【図１７】
2010119421.tif 000019
【図１８】
2010119421.tif 000020
【図１９】
2010119421.tif 000021
【図２０】
2010119421.tif 000022
【図２１】
2010119421.tif 000023
【図２２】
2010119421.tif 000024
【図２３】
2010119421.tif 000025
【図２４】
2010119421.tif 000026
【図２５】
2010119421.tif 000027
【図２６】
2010119421.tif 000028
【図２７】
2010119421.tif 000029
【図２８】
2010119421.tif 000030
【図２９】
2010119421.tif 000031
【図４５】
2010119421.tif 000032
【図４６】
2010119421.tif 000033
【図３０】
2010119421.tif 000034
【図３１】
2010119421.tif 000035
【図３２】
2010119421.tif 000036
【図３３】
2010119421.tif 000037
【図３４】
2010119421.tif 000038
【図３５】
2010119421.tif 000039
【図３６】
2010119421.tif 000040
【図３７】
2010119421.tif 000041
【図３８】
2010119421.tif 000042
【図３９】
2010119421.tif 000043
【図４０】
2010119421.tif 000044
【図４１】
2010119421.tif 000045
【図４２】
2010119421.tif 000046
【図４３】
2010119421.tif 000047
【図４４】
2010119421.tif 000048